(57)【要約】【課題】  制御系に関連して構成を簡単にすることができ、またその運転操作も簡単にすることができる温水暖房システムを提供すること。【解決手段】  温水を生成するための熱源機１０を含む一次側温水循環手段４と、温水の熱を放熱するための放熱機器１６を含む二次側温水循環手段６と、一次側温水循環手段４を流れる温水と二次側温水循環流路を流れる温水６との間で熱交換を行うための熱交換器８と、を具備する温水暖房システム。一次側温水循環手段６の循環流路１２には温度センサ４４が設けられ、暖房運転の際には、運転信号に基づいて一次側温水循環手段４が作動するとともに、温度センサ４４の検知温度に基づいて二次側温水循環手段６が作動する。【選択図】  図１
2005265282.tif 000002
【特許請求の範囲】
【請求項１】
温水を生成するための熱源機を含む一次側温水循環手段と、温水の熱を放熱するための放熱機器を含む二次側温水循環手段と、前記一次側温水循環手段を流れる温水と前記二次側温水循環流路を流れる温水との間で熱交換を行うための熱交換器と、前記一次側温水循環手段を運転するための運転操作手段と、を具備し、
前記一次側温水循環手段は、前記熱源機及び前記熱交換器を通して温水を循環する一次側温水循環流路と、前記一次側温水循環流路を通して温水を循環するための一次側送給ポンプとを有し、前記二次側温水循環手段は、前記放熱機器及び前記熱交換器を通して温水を循環する二次側温水循環流路と、前記二次側温水循環流路を通して温水を循環するための二次側送給ポンプとを有しており、
前記一次側温水循環流路には、更に、温水の温度を検知するための温度検知手段が配設されており、
前記運転操作手段を運転操作すると、前記運転操作手段からの運転信号に基づいて前記一次側温水循環手段が作動するとともに、前記温度検知手段の検知温度に基づいて前記二次側温水循環手段が作動することを特徴とする温水暖房システム。
【請求項２】
前記一次側温水循環流路には、前記温度検知手段に加えて、温水の流れを検知するための流量検知手段が設けられており、前記運転操作手段を運転操作すると、前記運転操作手段からの運転信号に基づいて前記一次側温水循環手段が作動するとともに、前記温度検知手段からの検知温度に基づいて前記二次側温水循環手段が作動し、前記運転操作手段が運転停止操作すると、前記運転操作手段からの運転停止信号に基づいて前記一次側温水循環手段が作動停止するとともに、前記流量検知手段からの検知流量に基づいて前記二次側温水循環手段を作動停止することを特徴とする請求項１に記載の温水暖房システム。
【請求項３】
温水を生成するための熱源機を含む一次側温水循環手段と、温水の熱を放熱するための放熱機器を含む二次側温水循環手段と、前記一次側温水循環手段を流れる温水と前記二次側温水循環流路を流れる温水との間で熱交換を行うための熱交換器と、前記一次側温水循環手段を運転するための運転操作手段と、を具備し、
前記一次側温水循環手段は、前記熱源機及び前記熱交換器を通して温水を循環する一次側温水循環流路と、前記一次側温水循環流路を通して温水を循環するための一次側送給ポンプとを有し、前記二次側温水循環手段は、前記放熱機器及び前記熱交換器を通して温水を循環する二次側温水循環流路と、前記二次側温水循環流路を通して温水を循環するための二次側送給ポンプとを有しており、
前記一次側温水循環流路には、更に、温水の流れを検知するための流量検知手段が配設されており、
前記運転操作手段を運転操作すると、前記運転操作手段からの運転信号に基づいて前記一次側温水循環手段が作動するとともに、前記流量検知手段からの検知流量に基づいて前記二次側温水循環手段が作動することを特徴とする温水暖房システム。
【請求項４】
前記一次側温水循環手段を作動制御するための一次側制御手段及び前記二次側温水循環手段を作動制御するための二次側制御手段が更に設けられており、前記運転操作手段を運転操作すると、前記一次側制御手段は、前記運転操作手段からの運転信号に基づいて前記一次側温水循環手段を作動することを特徴とする請求項１〜３のいずれかに記載の温水暖房システム。
【発明の詳細な説明】
【技術分野】
【０００１】
本発明は、温水を利用して室内などを暖房する温水暖房システムに関する。
【背景技術】
【０００２】
従来の温水を利用した温水暖房システムは、熱源機を含む一次側温水循環手段と、放熱パネルや放熱チューブなどの放熱機器を含む二次側温水循環手段と、一次側温水循環手段を流れる温水と二次側温水循環手段を流れる温水との間で熱交換を行う熱交換器と、を備えている。一次側温水循環手段は、熱源機及び熱交換器を通して温水を循環させる一次側温水循環流路と、この一次側温水循環流路を通して温水を循環するための一次側送給ポンプとを有し、また二次側温水循環手段は、放熱機器及び熱交換器を通して温水を循環させる二次側温水循環流路と、この二次側温水循環流路を通して温水を循環させるための二次側送給ポンプとを有している。
【０００３】
このような温水暖房システムでは、一次側温水循環手段に関連して第１の運転操作手段が設けられ、この第１の運転操作手段を運転操作することによって、一次側温水循環手段が運転される。また、二次側温水循環手段に関連して第２運転操作手段が設けられ、この第２の運転操作手段を運転操作することによって、二次側温水循環手段が運転される（例えば、特許文献１参照）。第１の運転操作手段を運転操作すると、熱源機が作動して温水が生成されるとともに、一次側送給ポンプが作動して熱源機にて生成された温水が一次側温水循環流路を通して循環される。この状態から第２の運転操作手段を運転操作すると、二次側送給ポンプが作動して温水が二次側温水循環流路を通して循環される。かくすると、熱交換器において、一次側温水循環流路を通して流れる温水と二次側温水循環流路を通して循環される温水との間で熱交換が行われ、これによって、二次側温水循環流路を流れる温水が加温され、加温された温水の熱が放熱機器から放熱され、このようにして室内空間などが暖房される。
【０００４】
また、この温水暖房システムを停止させるときには、第２の運転操作手段を運転停止操作し、その後第１の運転操作手段を運転停止操作する。第２の運転操作手段を運転停止操作すると、二次側送給ポンプの作動が停止し、二次側温水循環流路を通しての温水の循環が終了する。その後、第２の運転操作手段を運転操作停止すると、熱源機及び一次側送給ポンプの作動が停止し、温水の発生が終了するとともに、一次側温水循環流路を通しての温水循環が終了し、このようにして暖房システムの運転が終了する。
【０００５】
【特許文献１】特開２００１−２４１６７７号公報
【発明の開示】
【発明が解決しようとする課題】
【０００６】
上述した従来の温水暖房システムには、システム制御に関連して、次の通りの問題がある。熱源機を含む第１の温水循環手段に関連して第１の運転操作手段が設けられ、放熱機器を含む第２の温水循環手段に関連して第２の運転操作手段が設けられているので、温水暖房システムとして独立した二つの運転操作手段が設けられる構成であり、それ故に、暖房システムの制御系が複雑になる問題がある。加えて、暖房システムを運転するときには、第１の運転操作手段を運転操作した後に第２の運転操作手段を運転操作しなければならず、暖房システムを運転する際の操作が煩雑である。また、暖房システムの運転を停止するときにも、第２の運転操作手段を運転停止操作した後に第１の運転操作手段を運転停止操作しなければならず、暖房システムを運転停止する際の操作も煩雑である。
【０００７】
本発明の目的は、制御系の構成を簡単にすることができ、またその運転操作も簡単にすることができる温水暖房システムを提供することである。
【課題を解決するための手段】
【０００８】
本発明の請求項１の温水暖房システムは、温水を生成するための熱源機を含む一次側温水循環手段と、温水の熱を放熱するための放熱機器を含む二次側温水循環手段と、前記一次側温水循環手段を流れる温水と前記二次側温水循環流路を流れる温水との間で熱交換を行うための熱交換器と、前記一次側温水循環手段を運転するための運転操作手段と、を具備し、
前記一次側温水循環手段は、前記熱源機及び前記熱交換器を通して温水を循環する一次側温水循環流路と、前記一次側温水循環流路を通して温水を循環するための一次側送給ポンプとを有し、前記二次側温水循環手段は、前記放熱機器及び前記熱交換器を通して温水を循環する二次側温水循環流路と、前記二次側温水循環流路を通して温水を循環するための二次側送給ポンプとを有しており、
前記一次側温水循環流路には、更に、温水の温度を検知するための温度検知手段が配設されており、
前記運転操作手段を運転操作すると、前記運転操作手段からの運転信号に基づいて前記一次側温水循環手段が作動するとともに、前記温度検知手段からの検知温度に基づいて前記二次側温水循環手段が作動することを特徴とする。
【０００９】
また、本発明の請求項２に記載の温水暖房システムでは、請求項１に記載の構成に加えて、前記一次側温水循環流路には、前記温度検知手段に加えて、温水の流れを検知するための流量検知手段が設けられており、前記運転操作手段を運転操作すると、前記運転操作手段からの運転信号に基づいて前記一次側温水循環手段が作動するとともに、前記温度検知手段からの検知温度に基づいて前記二次側温水循環手段が作動し、前記運転操作手段を運転停止操作すると、前記運転操作手段からの運転停止信号に基づいて前記一次側温水循環手段が作動停止するとともに、前記流量検知手段からの検知流量に基づいて前記二次側温水循環手段が作動停止することを特徴とする。
【００１０】
また、本発明の請求項３に記載の温水暖房システムは、温水を生成するための熱源機を含む一次側温水循環手段と、温水の熱を放熱するための放熱機器を含む二次側温水循環手段と、前記一次側温水循環手段を流れる温水と前記二次側温水循環流路を流れる温水との間で熱交換を行うための熱交換器と、前記一次側温水循環手段を運転するための運転操作手段と、を具備し、
前記一次側温水循環手段は、前記熱源機及び前記熱交換器を通して温水を循環する一次側温水循環流路と、前記一次側温水循環流路を通して温水を循環するための一次側送給ポンプとを有し、前記二次側温水循環手段は、前記放熱機器及び前記熱交換器を通して温水を循環する二次側温水循環流路と、前記二次側温水循環流路を通して温水を循環するための二次側送給ポンプとを有しており、
前記一次側温水循環流路には、更に、温水の流れを検知するための流量検知手段が配設されており、
前記運転操作手段を運転操作すると、前記運転操作手段からの運転信号に基づいて前記一次側温水循環手段が作動するとともに、前記流量検知手段からの検知流量に基づいて前記二次側温水循環手段が作動することを特徴とする。
【００１１】
また、本発明の請求項４に記載の温水暖房システムでは、請求項１〜３のいずれかに記載の構成に加えて、前記一次側温水循環手段を作動制御するための一次側制御手段及び前記二次側温水循環手段を作動制御するための二次側制御手段が更に設けられており、前記運転操作手段を運転操作すると、前記一次側制御手段は、前記運転操作手段からの運転信号に基づいて前記一次側温水循環手段を作動することを特徴とする。
【発明の効果】
【００１２】
本発明の請求項１に記載された温水暖房システムによれば、熱源機を含む一次側温水循環手段及び放熱機器を含む二次側温水循環手段が別個に作動制御されるように構成されている。また、一次側温水循環手段を運転するための運転操作手段が設けられているとともに、一次側温水循環手段の一次側温水循環流路に温度検知手段が設けられている。運転操作手段を運転操作すると、その運転信号に基づいて一次側温水循環手段が作動し、熱源機が温水を生成するとともに、一次側循環ポンプが温水を一次側温水循環流路を通して循環する。そして、一次側温水循環流路を流れる温水の温度が上昇すると、温度検知手段がこの温度上昇を検知し、温度検知手段の検知温度に基づいて二次側温水循環手段が作動し、二次側送給ポンプが温水を二次側温水循環流路を通して循環する。従って、熱交換器において、一次側温水循環流路を流れる温水と二次側温水循環流路を流れる温水との間で熱交換が行われ、熱源機からの熱が一次側温水循環流路を流れる温水及び二次側温水循環流路を流れる温水を通して放熱機器に伝達され、この放熱機器から放熱され、室内空間などを暖房することができる。この暖房運転時には、運転操作手段を運転操作すればよく、簡単な操作でもって暖房運転することができる。また、運転操作手段は一つでよく、このことに関連して制御系に関連する構成を簡単にすることができる。更に、二次側温水循環手段の作動については、一次側温水循環流路に設けられた温度検知手段の検知温度に基づいて行われるので、一次側温水循環流路を流れる温水の温度が上昇すると、二次側温水循環手段が作動するようになり、運転操作手段を運転操作することによって、温水暖房システムを所望の通りに暖房運転をすることができる。
【００１３】
また、本発明の請求項２に記載された温水暖房システムによれば、一次側温水循環流路に温度検知手段及び流量検知手段が設けられ、運転操作手段を運転操作すると、その運転信号に基づいて一次側温水循環手段が作動するとともに、温度検知手段の検知温度に基づいて二次側温水循環手段が作動するので、一次側温度循環流路を流れる温水の温度が上昇すると、二次側温水循環手段が作動して放熱機器による暖房が開始され、効率よく室内空間などを暖房することができる。また、運転操作手段を運転停止操作すると、運転停止信号に基づいて一次側温水循環手段が作動停止するとともに、流量検知手段の検知流量に基づいて二次側温水循環手段が作動停止するので、一次側温水循環手段が作動停止して温水の流れが低下すると、二次側温水循環手段が作動停止して放熱機器による暖房が停止され、運転停止操作とほぼ同時に暖房を停止させることができる。
【００１４】
また、本発明の請求項３に記載された温水暖房システムによれば、熱源機を含む一次側温水循環手段の一次側温水循環流路に流量検知手段が設けられている。運転操作手段を運転操作すると、一次側温水循環手段が作動し、熱源機が温水を生成するとともに、一次側循環ポンプが温水を一次側温水循環流路を通して循環する。そして、一次側温水循環流路を流れる温水の流量が上昇すると、流量検知手段がこの流量の上昇を検知し、流量検知手段の検知流量に基づいて二次側温水循環手段が作動し、二次側送給ポンプが温水を二次側温水循環流路を通して循環する。従って、この場合においても、熱源機からの熱が一次側温水循環流路を流れる温水及び二次側温水循環流路を流れる温水を通して放熱機器に伝達され、この放熱機器からの放熱によって、室内空間などを暖房することができる。この暖房運転時には、上述したと同様に、運転操作手段を運転操作すればよく、簡単な操作でもって暖房運転することができる。また、運転操作手段は一つでよく、このことに関連して制御系に関連する構成を簡単にすることができる。更に、二次側温水循環手段の作動については、流量検知手段の検知流量に基づいて行われるので、一次側温水循環流路の温水の流量が上昇すると、二次側温水循環手段が作動するようになり、運転操作手段を運転操作することによって、温水暖房システムを所望の通りに暖房運転をすることができる。
【００１５】
また、本発明の請求項４に記載された温水暖房システムによれば、一次側制御手段及び二次側制御手段が設けられ、一次側制御手段は一次側温水循環手段を作動制御し、二次側制御手段は二次側温水循環手段を作動制御するので、比較的簡単な構成及び制御でもって所要の通り暖房運転することができる。
【発明を実施するための最良の形態】
【００１６】
以下、添付図面を参照して、本発明に従う温水暖房システムの最良の形態について説明する。
［第１の実施形態］
まず、図１を参照して、第１の実施形態の温水暖房システムについて説明する。図１は、第１の実施形態の温水暖房システムの全体を簡略的に示すシステム図である。
【００１７】
図１において、図示の温水暖房システム２は、温水を生成して循環するための一次側温水循環手段４と、加温された温水を循環して放熱するための二次側温水循環手段６と、一次側温水循環手段４を流れる温水と二次側温水循環手段を流れる温水との間で熱交換を行う熱交換器８とを備えている。
【００１８】
一次側温水循環手段４は、温水を生成するための熱源機１０と、熱源機１０及び熱交換器８を通して温水を循環するための一次側温水循環流路１２とを備え、この一次側温水循環流路１２に一次側送給ポンプ１４が配設されている。一次側温水循環手段４が作動すると、熱源機１０が作動して温水を生成するとともに、送給ポンプ１４が作動して熱源機１０にて生成された温水を矢印で示すように一次側温水循環流路１２を介して熱交換器８及び熱源機１０を通して循環する。尚、熱源機１０は、例えば、燃料用ガス、燃料用油などを燃焼させて温水を生成するものでよい。
【００１９】
また、二次側温水循環手段６は、温水の熱を放熱するための放熱機器１６と、放熱機器１６及び熱交換器８を通して温水を循環するための二次側温水循環流路１８とを備え、この二次側温水循環流路１８に二次側送給ポンプ２０が配設されている。二次側温水循環流路１８には、更に、熱動弁２２及びサーモバルブ２４が配設され、また熱動弁２２、サーモバルブ２４及び放熱機器１６をバイパスしてバイパス流路２６が接続されている。二次側温水循環手段６が作動すると、送給ポンプ２０が作動して温水を送給する。この作動状態において、熱動弁２２及び／又はサーモバルブ２４が閉状態のときには、二次側温水循環手段６の温水は、二次側温水循環流路１８の一部及びバイパス流路２６を介し、熱交換器８を通して循環され、二次側送給ポンプ２０の空回りによる過加熱が防止される。また、この作動状態において、熱動弁２２及びサーモバルブ２４が開状態になると、二次側温水循環手段６の温水は、二次側温水循環流路１０を介し、熱交換器８及び放熱機器１６を通して循環され、この温水の熱が放熱機器１６から外部に放熱される。熱動弁２０は放熱機器１４の作動（オン）、作動停止（オフ）により開、閉され、サーモバルブ２４は室温により開閉制御される。
【００２０】
この実施形態では、一次側温水循環流路１２は熱源機１０において大気開放され、開放型の循環流路となっている。これに対して、二次側温水循環流路１８は大気に開放されておらず、密閉型の循環流路となっている。従って、二次側温水循環流路１８には大気中の空気が流入せず、腐食がほとんど発生することがなく、二次側温水循環流路１８を規定する配管を鉄などの安価な材料で形成することが可能となり、また長期にわたって使用可能となる。
【００２１】
二次側温水循環流路１８が密閉型であることに関連して、二次側温水循環流路１８には、更に、過圧逃し弁２８及び膨張タンク３０が設けられている。膨張タンク３０は膨張、収縮可能に構成され、二次側温水循環手段６の温水の温度上昇、低下に伴う膨張、収縮を吸収するために設けられる。また、過圧逃がし弁２８は、二次側温水循環流路１８内の圧力が異常に上昇するのを防止するために設けられ、その圧力が異常に上昇すると開状態になって圧力を大気に逃がす。
【００２２】
温水暖房システムは、更に、システムを作動制御するためのコントローラ３２を備えている。図示のコントローラ３２は制御用マイクロプロセッサなどから構成され、一次側制御手段３４、二次側制御手段３６、温度判定手段３８、メモリ４０及び受信手段４２を含んでいる。また、この実施形態では、一次側温水循環流路４を流れる温水の温度に基づいて二次側温水循環手段６が作動されるように構成され、このことに関連して、一次側温水循環流路１２に温度センサ４４（温度検知手段を構成する）が設けられている。一次側制御手段３４は、熱源機１０、一次側送給ポンプ１４などの一次側温水循環手段４を作動制御し、二次側制御手段３６は、二次側送給ポンプ２０、熱動弁２２などの二次側温水循環手段６を作動制御する。メモリ４０には、二次側温水循環手段６を作動、作動停止させる際の基準となる設定水温（例えば、４０℃）などが記憶されている。温度センサ４４からの検知信号はコントローラ３２に送られ、温度判定手段３８は、温度センサ４４の検知温度と設定温度とを比較し、検知温度が設定温度を超えると、二次側制御手段３６が二次側作動信号を生成する。
【００２３】
この温水暖房システムは、また、運転操作手段としての操作リモコン４５を備え、操作リモコン４５は操作ボタンなどの操作手段４６及び送信手段４８を有している。操作手段４６を運転操作（又は運転停止操作）すると、運転信号（又は運転停止信号）が生成され、この運転信号（又は運転停止信号）が送信手段４８及び受信手段４２を介してリモコン４５からコントローラ３２に送信される。尚、このようなリモコン４５を設けることに代えて、例えば操作パネルユニットを設け、この操作パネルユニットを操作して運転操作、運転停止操作するようにしてもよい。
【００２４】
次に、この温水暖房システム２における暖房運転及びその停止について説明する。暖房を行う場合、リモコン４５の操作手段４６を運転操作すればよい。かく操作すると、運転信号がリモコン４５からコントローラ３２に送給され、運転信号に基づいて一次側制御手段３４は一次作動信号を生成し、この一次作動信号に基づいて一次側温水循環手段４が作動される。即ち、熱源機１０及び一次側送給ポンプ１４が作動し、熱源機１０にて生成された温水が一次側温水循環流路１２を通して循環され、かく循環される温水と二次側温水循環流路１８の温水とが熱交換器８を介して熱交換される。
【００２５】
そして、一次側温水循環流路１２を流れる温水の温度が所定温度（例えば４０℃）まで上昇すると、温度判定手段３８は温水の温度が設定温度まで上昇したことを判定し、二次側制御手段３６が二次側作動信号を生成する。かくすると、この二次作動信号に基づいて二次側温水循環手段６、即ち二次側送給ポンプ２０が作動し、温水（又は水）が循環される。このような状態において、放熱機器１６を作動すると、熱動弁２２が開状態となり、サーモバルブ２４が開状態であるときには、温水は主として二次側温水循環流路１８及び放熱機器１６を通して循環され、二次側温水循環流路１８を通して循環される温水の熱が放熱機器１６から放熱され、室内空間が暖房される。尚、室温が上昇する（設定温度以上になる）と、サーモバルブ２４が閉状態になり、放熱機器１６による放熱が停止する。
【００２６】
このように、リモコン４５を運転操作することによって、まず、一次側制御手段３４によって一次側温水循環手段４が作動され、その後一次側温水循環流路１２を流れる温水の温度が上昇すると、二次側制御手段３６によって二次側温水循環手段６が作動されるので、リモコン４５を運転操作するという簡単な操作でもって暖房運転を行うことができ、また運転操作手段としては一次側温水循環手段４を作動させるためのもののみでよく、その制御系の構成も簡単にすることができる。
【００２７】
尚、暖房運転を停止する場合、リモコン４５の操作手段４６を運転停止操作すればよく、かく操作すると、運転停止信号がリモコン４５からコントローラ３２に送給され、一次側制御手段３４は一次作動停止信号を生成し、この一次作動停止信号に基づいて一次側温水循環手段４が作動停止し、その後、一次側温水循環流路１２の温水の温度が所定温度（例えば４０℃）以下まで低下すると、二次側制御手段３８は二次作動停止信号を生成し、この二次作動停止信号に基づいて二次側温水循環手段６が作動停止する。このようにリモコン４５を操作することによって、暖房運転を終了することができる。
【００２８】
上述した第１の実施形態では、一次側温水循環流路１２に温度検知手段としての温度センサ１２を設け、温水の温度変動を利用して二次側温水循環手段６を作動させているが、温水の流量変化を利用して二次側温水循環手段６を作動させるようにしてもよい。この場合、流量検知手段として流量センサが用いられるとともに、温度判定手段に代えて流量判定手段が用いられ、リモコン４５を運転操作して一次側温水循環流路１２を流れる温水が所定流量を超えると、流量判定手段がこれを判定して二次側制御手段３６が二次側作動信号を生成するようになり、またリモコン４５を運転停止操作して一次側温水循環流路１２を流れる温水の流量が低下する（設定流量以下になる）と、流量判定手段がこれを判定して二次側制御手段３６が二次側作動停止信号を生成するようになる。
【００２９】
［第２の実施形態］
次に、図２を参照して、第２の実施形態の温水暖房システムについて説明する。図２は、第２の実施形態の温水暖房システムを簡略的に示すシステム図である。尚、以下の実施形態において、第１の実施形態と実質上同一の部材には同一の参照番号を付し、その説明を省略する。
【００３０】
図２において、図示の温水暖房システム２Ａにおいては、一次側温水循環流路１２を流れる温水の温度変動及び温水の流量変動を利用して二次側温水循環手段６を作動制御しており、このことに関連して、一次側温水循環手段４の一次側温水循環流路１２に、温度検知手段としての温度センサ４４と、流量検知手段としての流量センサ５４とが配設され、温度センサ４４及び流量センサ５４の検知信号がコントローラ３２Ａに送給される。
【００３１】
また、このことに関連して、コントローラ３２Ａは、温度判定手段に代えて、温度・流量判定手段５２を備え、この温度・流量判定手段５２は、運転操作時には一次側温水循環流路１２を流れる温水の温度に基づいて設定温度を超えたかを判定し、運転停止操作時には一次側温水循環流路１２を流れる温水の流量に基づいて設定流量以下であるかを判定し、この判定に用いられる設定温度及び設定流量がメモリ４０に記憶される。この第２の実施形態のその他の構成は、上述した第１の実施形態と実質上同一である。
【００３２】
第２の実施形態において、リモコン４５を運転操作すると、運転信号がリモコン４５からコントローラ３２Ａに送給され、運転信号に基づいて一次側制御手段３４は一次作動信号を生成し、この一次作動信号に基づいて一次側温水循環手段４、即ち熱源機１０及び一次側送給ポンプ１４が作動し、熱源機１０にて生成された温水が一次側温水循環流路１２を通して循環される。
【００３３】
暖房運転時には、温水の温度変化に基づいて二次側温水循環手段６が作動される。即ち、一次側温水循環流路１２を流れる温水の温度が所定温度（例えば４０℃）まで上昇すると、温度・流量判定手段５２は温水の温度が設定温度まで上昇したことを判定し、二次側制御手段３６が二次側作動信号を生成する。かくすると、第１の実施形態と同様に、この二次作動信号に基づいて二次側温水循環手段６、即ち二次側送給ポンプ２０及び熱動弁２２が作動して温水が循環される。この作動状態において放熱機器１６を作動（オン）すると、熱動弁２２が開状態になり、サーモバルブ２４が開状態であるときには、温水が放熱機器１６を通して循環され、かく循環される温水の熱が放熱機器１６から放熱され、室内空間が暖房される。尚、室温が上昇すると、サーモバルブ２４が閉状態になり、放熱機器１６による放熱が停止する。
【００３４】
また、暖房運転を停止するために、リモコン４５を運転停止操作すると、リモコン４５からの運転停止信号がコントローラ３２Ａに送給され、この運転停止信号に基づいて一次側制御手段３４は一次作動停止信号を生成し、この一次作動停止信号に基づいて一次側温水循環手段４、即ち熱源機１０及び一次側送給ポンプ１４が作動停止する。
【００３５】
この暖房運転停止時には、温水の流量変化に基づいて二次側温水循環手段６が作動停止される。即ち、一次側送給ポンプ１４の作動停止によって、一次側温水循環流路１２を流れる温水の流量が所定流量まで低下すると、温度・流量判定手段５２は温水の流量が設定流量まで低下したことを判定し、二次側制御手段３６が二次側作動停止信号を生成する。かくすると、第１の実施形態と同様に、この二次作動停止信号に基づいて二次側温水循環手段６、即ち二次側送給ポンプ２０及び熱動弁２２が作動停止して温水の循環が停止し、放熱機器１６による室内空間の暖房が終了する。このように暖房運転停止時に温水の流量変化を利用することによって、暖房運転の停止とほぼ同時に二次側温水循環手段６も作動停止するようになり、無駄に暖房運転することを防止することができる。このように、第２の実施形態においても、第１の実施形態と同様に、リモコン４５を操作することによって、温水暖房システム２Ａを暖房運転、暖房運転停止することができる。
【００３６】
［第３の実施形態］
次に、図３を参照して、第３の実施形態の温水暖房システムについて説明する。図３は、第３の実施形態の温水暖房システムを簡略的に示すシステム図である。
【００３７】
図３において、この温水暖房システム２Ｂにおいては、コントローラが独立した２つのコントローラ、即ち第１及び第２のコントローラ６２，６４から構成されている。第１のコントローラ６２は一次側温水循環手段４を制御するためのものであり、一次側温水循環手段４を作動制御するための一次側制御手段３４と、リモコン４５からの操作信号を受信するための受信手段４２を含んでいる。また、第２のコントローラ６４は二次側温水循環手段６を作動制御するための二次側制御手段３６と、温度センサ４４の検知温度を判定する温度判定手段３８と、設定温度などを記憶するメモリ４０を含んでおり、この第２のコントローラ６４に温度センサ４４からの検知信号が送給される。第３の実施形態のその他の構成は、上述した第１の実施形態と実質上同一である。
【００３８】
この第３の実施形態において、リモコン４５を運転操作すると、その運転信号が第１のコントローラ６２に送給され、一次側制御手段３４はこの運転信号に基づいて一次側温水循環手段４を作動する。そして、一次側循環流路１２を流れる温水の温度が上昇し、温度センサ４４の検知温度が所定温度まで上昇すると、上述したと同様にして二次側制御手段３６が二次側作動信号を生成し、この作動信号に基づいて二次側温水循環手段６が作動し、このように第１の実施形態と同様に暖房運転することができる。この実施形態では、また、一次側循環手段４に第１のコントローラ６２が設けられ、二次側循環手段６に第２のコントローラ６４が設けられるので、一次側循環手段４と二次側循環手段６との種々の組合せが容易となり、温水暖房システムとしての適合性を向上させることができる。
【００３９】
以上、本発明に従う温水暖房システムの実施形態について説明したが、本発明はかかる実施形態に限定されるものではなく、本発明の範囲を逸脱することなく種々の変形乃至修正が可能である。
【００４０】
例えば、第１の実施形態（又は第２の実施形態）では、温度センサ４４（又は温度センサ４４及び流量センサ５４）を一次側温水循環流路１２における熱交換器８の上流側に配設しているが、これに限らず、一次側温水循環流路１２における熱交換器８の下流側や熱交換器８の内部などに配設するようにしてもよい。
【００４１】
また、例えば、第１及び第２の実施形態では、リモコン４５を操作して温水暖房システム２，２Ａを運転操作、運転停止操作しているが、このようなリモコン４５に代えて、又はリモコン４５に加えて、運転操作手段としての操作スイッチ（例えば、運転スイッチ、運転停止スイッチ）を設け、この操作スイッチを運転操作、運転停止操作するように構成してもよい。
【産業上の利用可能性】
【００４２】
この温水暖房システムは、一次側温水循環手段を作動させて一次側温水循環流路を流れる温水の温度変動及び／又は流量変動を検知して二次側温水循環手段を作動させるものであり、このように作動制御することによって、簡単な操作でもって暖房運転、暖房運転停止を所要の通りに行うことができる。また、温水の温度変動については温度検知手段によって、温水の流量変動については流量検知手段によって検知するので、その制御系の構成も簡単にすることができ、温水を利用して室内空間を暖房する暖房システムに好都合に適用することができる。
【図面の簡単な説明】
【００４３】
【図１】第１の実施形態の温水暖房システムを簡略的に示すシステム図である。
【図２】第２の実施形態の温水暖房システムを簡略的に示すシステム図である。
【図３】第３の実施形態の温水暖房システムを簡略的に示すシステム図である。
【符号の説明】
【００４４】
２，２Ａ，２Ｂ  温水暖房システム
４  一次側温水循環手段
６  二次側温水循環手段
８  熱交換器
１０  熱源機
１２  一次側温水循環流路
１４  一次側送給ポンプ
１６  放熱機器
１８  二次側温水循環手段
２０  二次側送給ポンプ
２２  熱動弁
３２，３２Ａ，６２，６４  コントローラ
３４  一次側制御手段
３６  二次側制御手段
３８  温度判定手段
４４  温度センサ
４５  リモコン
５２  温度・流量判定手段
５４  流量センサ
【図１】
2005265282.tif 000003
【図２】
2005265282.tif 000004
【図３】
2005265282.tif 000005